【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
ヘルスチェック起動部、パケット送信起動部、ヘルスチェック監視部、パケット受信処理部、パケット判定部、ヘルスチェック結果判定部、障害部位特定部をソフトウェアとして含むＣＰＵと、
前記ヘルスチェック起動部による監視パケットの送信数をカウントするヘルスチェック送信数、前記パケット判定部による前記監視パケットの受信数をカウントするヘルスチェック受信数、前記ヘルスチェック起動部にて前記監視パケットの送信数をカウントするヘルスチェック起動部送信統計、前記パケット送信起動部で前記監視パケットの受信数をカウントするパケット送信起動部受信統計、前記パケット送信起動部で前記監視パケットの送信数をカウントするパケット送信起動部送信統計、前記パケット受信処理部で前記監視パケットの受信数をカウントするパケット受信部受信統計、前記パケット受信処理部で前記監視パケットの送信数をカウントするパケット受信部送信統計、前記パケット判定部で前記監視パケットの受信数をカウントするパケット判定部受信統計を含むメモリと、
前記監視パケットの受信数をカウントする転送受信統計と前記監視パケットの送信数をカウントする転送送信統計を有する、ハードウェアとしての転送先決定部と、
を備え、
前記ヘルスチェック起動部は、前記パケット送信起動部へ前記監視パケットを送信し、前記ヘルスチェック送信数および前記ヘルスチェック起動部送信統計をカウントアップし、
前記パケット送信起動部は、前記監視パケットを受信したら、前記パケット送信起動部受信統計をカウントアップし、前記転送先決定部に向けて前記監視パケットを送信し、前記パケット送信起動部送信統計をカウントアップし、
前記転送先決定部は、前記監視パケットを受信したら、前記転送受信統計をカウントアップし、前記パケット受信処理部へ向けて、前記監視パケットを送信し、前記転送送信統計をカウントアップし、
前記パケット受信処理部は、前記監視パケットを受信したら、前記パケット受信部受信統計をカウントアップし、前記監視パケットを前記パケット判定部へ送信し、前記パケット受信部送信統計をカウントアップし、
前記パケット判定部は、前記監視パケットを受信したら、前記パケット判定部受信統計をおよび前記ヘルスチェック受信数をカウントアップし、
前記ヘルスチェック監視部は、前記パケット判定部が前記監視パケットを一定時間以内に受信しなかった場合、前記ヘルスチェック結果判定部を起動し、
前記ヘルスチェック結果判定部は、前記ヘルスチェック送信数と前記ヘルスチェック受信数を比較し、両方の数が不一致であれば異常と判断し、前記障害部位特定部を起動し、
前記障害部位特定部は、監視パケットの伝送経路に従い予め設定された判定順序で、どの送信数若しくは送信統計と、どの受信数若しくは受信統計とを比較して一致又は不一致を判定するかを予め定めた判定内容と、該判定内容に対応する障害部位とに従い、該当する判定内容に対応する障害部位を判定し、該障害部位を含む障害情報を表示部に表示又は出力部に出力する
パケット中継装置。
【請求項２】
請求項１に記載のパケット中継装置において、
予め設定された判定順序により、判定内容として、前記ヘルスチェック起動部から監視パケットが送信されて前記パケット判定部で受信される経路の順序に従って、第１の部位からの送信統計と第２の部位での受信統計とを比較する内容、又は、第１の部位からの送信統計と第１の部位での受信統計とを比較する内容が定義され、該判定内容が不一致の場合の障害部位として前記第１の部位が定義されている、判定テーブルを備え、
前記障害部位特定部は、前記判定テーブルを参照し、障害部位を判定する
ことを特徴とするパケット中継装置。
【請求項３】
請求項１又は２に記載のパケット中継装置において、
予め定められたチェック間隔毎に前記ヘルスチェック起動部を起動し、前記監視パケットの送信間隔を決定するタイマ部をさらに備えたことを特徴とするパケット中継装置。
【請求項４】
請求項１乃至３のいずれかに記載のパケット中継装置において、
前記監視パケットは、折り返す設定とした折り返し要否フラグと、監視パケットとして設定した監視パケットフラグを含み、
前記転送決定部は、折り返し要否フラグが折り返す設定であれば、受信パケットを監視パケットであるとして折り返し、一方、前記転送決定部は、折り返し要否フラグが折り返さない設定であれば、受信パケットを転送先へ転送し、
前記パケット判定部は、監視パケットフラグが監視パケット設定であれば、監視パケットを受信したと判断する
ことを特徴とするパケット中継装置。
【請求項５】
請求項１乃至４のいずれかに記載のパケット中継装置において、
前記監視パケットの受信数をカウントする第１の受信統計と前記監視パケットの送信数をカウントする第１の送信統計を備え、前記監視パケットを、前記パケット送信起動部から受信し、前記転送先決定部に送信する第１のハードウェア部位及び、
前記監視パケットの受信数をカウントする第２の受信統計と前記監視パケットの送信数をカウントする第２の送信統計を備え、前記監視パケットを、前記転送先決定部から受信し、前記パケット受信処理部へ送信する第２のハードウェア部位
のうち少なくとも一方をさらに備え、
前記パケット送信起動部は、前記第１のハードウェア部位に前記監視パケットを送信し、
前記第１のハードウェア部位は、前記監視パケットを受信したら前記第１の受信統計をカウントアップし、前記転送先決定部へ、前記監視パケットを送信し、前記第１の送信統計をカウントアップし、
前記転送先決定部は、前記第１のハードウェア部位から前記監視パケットを受信する処理または前記第２のハードウェア部位へ前記監視パケットを送信する処理の少なくとも一方を実行し、
前記第２のハードウェア部位は、前記監視パケットを受信したら、前記第２の受信統計をカウントアップし、前記第２のハードウェア部位は前記パケット受信処理部へ前記監視パケットを送信し、前記第２のハードウェア部位は前記第２の送信統計をカウントアップし、
前記障害部位特定部は、前記第１及び第２の受信統計及び前記第１及び第２の送信統計を参照して、障害部位を判定することができるようにしたことを特徴とするパケット中継装置。
【請求項６】
請求項１乃至５のいずれかに記載のパケット中継装置において、
前記パケット判定部は、
前記監視パケットを受信したら、前記ヘルスチェック監視部を停止し、前記パケット判定部はヘルスチェック結果判定部を起動し、
前記パケット判定部が前記監視パケットを一定時間以内に受信した場合、前記ヘルスチェック監視部を停止する
ことを特徴とするパケット中継装置。
【請求項７】
情報処理装置間で送受信されるデータパケットをネットワークを介して中継するパケット中継装置であって、
前記ネットワークに接続されるパケット受信部と、
前記ネットワークに接続されるパケット送信部と、
前記パケット受信部及び前記パケット送信部に接続され、前記ネットワークから前記パケット受信部を介して受信され前記パケット送信部を介して送信される前記データパケットの中継経路を決定する転送先決定部と、
前記パケット受信部及びパケット送信部に接続される制御部と、
を備え、
前記パケット受信部及びパケット送信部及び前記転送先決定部は、それぞれ前記制御部により生成され所定の経路で転送される監視パケットの通過状況を保持し、
前記制御部は、前記パケット受信部とパケット送信部と前記転送先決定部を含む所定の経路に向けて監視パケットを送信し、送信された監視パケットの受信状況に基づいて、装置異常を判定し、
装置異常と判定した場合、前記パケット受信部及びパケット送信部及び前記転送先決定部から前記監視パケットの通過状況を収集し、収集結果に基づいて、前記パケット受信部及びパケット送信部及び前記転送先決定部のいずれかで障害がおこったかを特定し、特定結果と障害情報とともに出力部または表示部に出力する、
パケット中継装置。